(57)【要約】【課題】着用無線装置におけるその性能向上、ならびに操作性、安全性などの更なる改善。【解決手段】内側に緩衝材１７が配置された頭部装着用ヘルメット１０と、緩衝材中１７に組み込まれて電気信号を音声へ変換するスピーカ１５と、指令機から送られた無線信号の受信を行うアンテナ１３と、アンテナ１３に接続されアンテナで受信した信号を処理して対応する電気信号をスピーカ１５に送る無線装置本体部１２と、無線装置本体部１２の動作を設定する操作部１４とを備える。また、操作部１４からの設定入力は、スピーカ１５から音声にて出力される。【選択図】　　　　図１
2004048355.tif 000002
【特許請求の範囲】
【請求項１】
内側に緩衝材が配置された頭部装着用ヘルメットと、
前記緩衝材中に組み込まれて電気信号を音声へ変換するスピーカと、
指令機から送られた無線信号の受信を行うアンテナと、
前記アンテナに接続され該アンテナで受信した信号を処理して対応する電気信号を前記スピーカに送る無線装置本体部と、
前記無線装置本体部の動作を設定する操作部とを、備えたことを特徴とする着用無線装置。
【請求項２】
前記無線装置本体部が、前記緩衝材中に配置されていることを特徴とする請求項１記載の着用無線装置。
【請求項３】
前記無線装置本体部が、前記ヘルメットの外側面に取り付けられていることを特徴とする請求項１記載の着用無線装置。
【請求項４】
前記無線装置本体部が、着脱自在に前記ヘルメットに装着
されることを特徴とする請求項２または３記載の着用無線装置。
【請求項５】
前記操作部が、前記ヘルメットのひさしまたは前記ヘルメットの外周面に設けられていることを特徴とする請求項１乃至４のいずれかに記載の着用無線装置。
【請求項６】
前記操作部から入力された設定情報を、前記スピーカから音声出力させることを特徴とする請求項１乃至５のいずれかに記載の着用無線装置。
【請求項７】
前記無線装置本体部が、その電源として１次電池を備えることを特徴とする請求項１乃至６のいずれかに記載の着用無線装置。
【請求項８】
前記無線装置本体部が、その電源として２次電池を備えることを特徴とする請求項１乃至７のいずれかに記載の着用無線装置。
【請求項９】
前記無線装置本体部が、前記２次電池を充電するための電極を有した充電端子を備えることを特徴とする請求項８記載の着用無線装置。
【請求項１０】
前記充電端子の電極周辺に鉄片を配置したことを特徴とする請求項９記載の着用無線装置。
【請求項１１】
前記無線装置が、
該無線装置着用者の動きを検出する動態センサと、
前記動態センサによる動きの検出が予め定めた所定時間なかった場合に異常事態に関する信号を、電波にて連続的または間欠的に前記指令機に送る送信部と、を備えたことを特徴とする請求項１乃至１０のいずれかに記載の着用無線装置。
【請求項１２】
前記無線装置が、緊急事態に関する信号を生じさせる緊急ボタンと、
前記緊急事態に関する信号を、電波にて連続的または間欠的に前記指令機に送る送信部と、を備えたことを特徴とする請求項１乃至１１のいずれかに記載の着用無線装置。
【請求項１３】
前記ヘルメットに発光体を取り付けたことを特徴とする請求項１乃至１２のいずれかに記載の着用無線装置。
【請求項１４】
内側に緩衝材が配置された頭部装着用ヘルメットと、前記緩衝材中に組み込まれて電気信号を音声へ変換するスピーカと、指令機から送られた無線信号の受信を行うアンテナと、前記アンテナに接続され該アンテナで受信した信号を処理して対応する電気信号を前記スピーカに送る無線装置本体部と、前記無線装置本体部の動作を設定する操作部とを備えた着用無線装置のための保管装置であって、
充電器と、
該充電器から前記２次電池に対して充電を行うための充電器端子とを備え、
前記充電器端子は、前記着用無線装置を該保管装置に保管した状態において、前記充電端子の電極に接触する対応電極を有してなることを特徴とする着用無線装置用保管装置。
【請求項１５】
前記保管装置の充電器端子の電極周辺に、前記充電端子の電極周辺に配置された鉄片を引きつけて、前記充電器接続端子の電極と前記充電端子の電極とを密接させる磁石を配置したことを特徴とする請求項１４記載の着用無線装置用保管装置。
【請求項１６】
内側に緩衝材が配置された頭部装着用ヘルメットと、前記緩衝材中に組み込まれて電気信号を音声へ変換するスピーカと、指令機から送られた無線信号の受信を行うアンテナと、前記アンテナに接続され該アンテナで受信した信号を処理して対応する電気信号を前記スピーカに送る無線装置本体部と、前記無線装置本体部の動作を設定する操作部とを備えた着用無線装置のための保管装置であって、
そこに保管された複数の着用無線装置に対してそれらの動作を一括設定する信号を送信する送信機を備えたことを特徴とする着用無線装置用保管装置。
【発明の詳細な説明】
【０００１】
【発明の属する技術分野】
本発明は、消防活動、線路または道路保守管理、そのほか各種工事現場などで使用するのに好適な着用無線装置、バイク搭乗時に着用される無線装置、並びにそれらの着用無線装置を保管する保管装置に関する。
【０００２】
【従来の技術】
この種の装置としては、例えば、特開２０００−４９６４４号に開示されるようなヘルメットタイプの作業用無線通信システムがある。これは、無線装置をヘルメットに着脱可能に装着して、作業員の両手をフリーにした状態で、指令機との間であるいは子機間で通信ができるようにしたものである。
また、特開平７−２１２２７０号には、使用者の自由度や作業性を向上させるために、携帯用無線機に接続されたスピーカをヘルメット内の耳の近傍に配した携帯用無線機が開示されている。
【０００３】
【発明が解決しようとする課題】
上記のような技術により着用無線装置の作業性は大きく改善されてきたが、その性能、操作性、並びに機能などの面ではなお改善の余地が残されている。
本発明は、上記のような、少なくとも受信装置として利用可能な着用無線装置の性能、操作性、並びに機能の更なる改善を目的としてなされたものである。
本発明は、さらに、それに関連して、その着用無線装置を保管するに有効な保管装置をも提供することを目的とする。
【０００４】
【課題を解決するための手段】
（１）本発明の着用無線装置は、内側に緩衝材が配置された頭部装着用ヘルメットと、前記緩衝材中に組み込まれて電気信号を音声へ変換するスピーカと、指令機から送られた無線信号の受信を行うアンテナと、前記アンテナに接続され該アンテナで受信した信号を処理して対応する電気信号を前記スピーカに送る無線装置本体部と、前記無線装置本体部の動作を設定する操作部とを、備えたことを特徴とする。
（２）また、前記無線装置本体部が、前記緩衝材中に配置されていることを特徴とする。
（３）また、前記無線装置本体部が、前記ヘルメットの外側面に取り付けられていることを特徴とする。
（４）また、前記無線装置本体部が、着脱自在に前記ヘルメットに装着されることを特徴とする。
（５）また、前記操作部が、前記ヘルメットのひさしまたは前記ヘルメットの外周面に設けられていることを特徴とする。
（６）また、前記操作部から入力された設定情報を、前記スピーカから音声出力させることを特徴とする。
【０００５】
（７）また、前記無線装置本体部が、その電源として１次電池を備えることを特徴とする。
（８）また、前記無線装置本体部が、その電源として２次電池を備えることを特徴とする。
（９）また、前記無線装置本体部が、前記２次電池を充電するための電極を有した充電端子を備えることを特徴とする。
（１０）また、前記充電端子の電極周辺に鉄片を配置したことを特徴とする。
【０００６】
（１１）また、前記無線装置が、該無線装置着用者の動きを検出する動態センサと、前記動態センサによる動きの検出が予め定めた所定時間なかった場合に異常事態に関する信号を、電波にて連続的または間欠的に前記指令機に送る送信部と、を備えたことを特徴とする。
（１２）また、前記無線装置が、緊急事態に関する信号を生じさせる緊急ボタンと、前記緊急事態に関する信号を、電波にて連続的または間欠的に前記指令機に送る送信部と、を備えたことを特徴とする。
（１３）また、前記ヘルメットに発光体を取り付けたことを特徴とする。
【０００７】
（１４）本発明の着用無線装置用保管装置は、内側に緩衝材が配置された頭部装着用ヘルメットと、前記緩衝材中に組み込まれて電気信号を音声へ変換するスピーカと、指令機から送られた無線信号の受信を行うアンテナと、前記アンテナに接続され該アンテナで受信した信号を処理して対応する電気信号を前記スピーカに送る無線装置本体部と、前記無線装置本体部の動作を設定する操作部とを備えた着用無線装置を保管するための保管装置であって、充電器と、該充電器から前記２次電池に対して充電を行うための充電器端子とを備え、前記充電器端子は、前記着用無線装置を該保管装置に保管した状態において、前記充電端子の電極に接触する対応電極を有してなることを特徴とする。
（１５）また、（１４）において、前記保管装置の充電器端子の電極周辺に、前記充電端子の電極周辺に配置された鉄片を引きつけて、前記充電器接続端子の電極と前記充電端子の電極とを密接させる磁石を配置したことを特徴とする。
【０００８】
（１６）本発明の別の着用無線装置用保管装置は、内側に緩衝材が配置された頭部装着用ヘルメットと、前記緩衝材中に組み込まれて電気信号を音声へ変換するスピーカと、指令機から送られた無線信号の受信を行うアンテナと、前記アンテナに接続され該アンテナで受信した信号を処理して対応する電気信号を前記スピーカに送る無線装置本体部と、前記無線装置本体部の動作を設定する操作部とを備えた着用無線装置を保管するための保管装置であって、そこに保管された複数の着用無線装置に対してそれらの動作を一括設定する信号を送信する送信機を備えたことを特徴とする。
【０００９】
【発明の実施の形態】
実施形態１
図１は本発明の実施形態に係る着用無線装置であるヘルメット型無線装置１の主要機器（部品）の概略配置図、図２は図１の装置の中央断面図である。このヘルメット型無線装置１は、無線電波を受信または傍受する「受令機」として、消防活動、救急活動、またはその他の現場作業に利用することを想定している。
図１に示すように、頭に着用するヘルメット１０の内側には、頭部を衝撃などの危険から保護するための、発泡スチロールなどからなる緩衝材１７が設けられている。そして、その緩衝材１７中に、無線装置本体部１２と、指令をは発信する「指令機」からの無線信号を受け取りそれを無線装置本体部１２に送るアンテナ１３と、無線装置本体部１２からの電気信号を音声に変換して出力するスピーカ１５とが、着脱可能に埋め込まれている。
なお、アンテナ１３をヘルメット１０内に配置する場合には、ヘルメットの材質は電波が通過する非金属系の樹脂とするのがよい。
【００１０】
このヘルメット型無線装置１は、２次電池を電源としているが、１次電池のみを、また１次電池と２次電池の双方を利用できるようにしてもよい。そして、その２次電池の充電に使用する充電端子１６が、ヘルメット１０の後部に設けられている。さらに、無線装置本体部１２の動作または作用を設定するための入力を行うキーを備えた操作部１４が、ヘルメット１０のひさし１１に設けられている。操作部１４は、ヘルメット型無線装置１の着用者がそれを手で操作がしやすい位置に配置するものとし、このためには、ひさし１１の内外面、あるいはヘルメット１０の外側の前面から側面の間に配置するのがよい。
【００１１】
なお、上記例では、無線装置本体部１２、アンテナ１３、スピーカ１５をそれぞれ分離させた構成としたが、これら全てを一体化してもよく、あるいは無線装置本体部１２中に、アンテナ１３またはスピーカ１５の一方だけを内蔵させるようにしてもよい。ただし、少なくともスピーカ１５については緩衝材１７中に配置して、その着用者が音声出力された内容を明瞭に聞き取れるようにする。
【００１２】
図３は図１および図２に示したヘルメット型無線装置のブロック構成図である。ヘルメット型無線装置１は、前述したように、ヘルメット１０に、無線装置本体部１２、アンテナ１３、操作部１４およびスピーカ１５を備えている。
無線装置本体部１２は、電源部１２１、２次電池１２２、音声処理部１２３、制御部１２４、無線受信部１２５により構成され、その無線装置本体部１２は、アンテナ１３、操作部１４、スピーカ１５とそれぞれ接続されている。
【００１３】
電源部１２１は、２次電池１２２、音声処理部１２３、制御部１２４、無線受信部１２５の各部に電力を供給するための回路である。さらに、電源部１２１には、２次電池の充電に使用される充電端子１６が備えられており、その充電端子１６には電極１６１，１６２が配置され、それら電極１６１，１６２の周辺に、ここでは電極１６１，１６２の中間に鉄片１６３が設けられている。
２次電池１２２は、電源部１２１を介して充電され、また、電源部１２１を介して、音声処理部１２３、制御部１２４、無線受信部１２５の各部に電力を供給する。
無線受信部１２５は、アンテナ１３で受信した指令機からの指令信号を取り込んで周波数調整や信号増幅などの信号処理を行い、その指令信号に対応する電気信号をスピーカ１５に送る。
制御部１２４は、ＣＰＵなどから構成され、操作部１４、電源部１２１、音声処理部１２３、無線受信部１２５など各部の動作を監視制御する。
操作部１４は、ヘルメット型無線装置１の着用者が、その電源ＯＮ／ＯＦＦ、あるいは無線装置本体部１２の動作または作用を設定するための条件を設定入力するためのものである。
音声処理部１２３は、アンテナ１３で受信された指令信号や、操作部１４からの入力設定情報をスピーカ１５にて音声出力させるための信号処理を行うものである。
【００１４】
図４は、上記ヘルメット型無線装置１の保管状態を示す説明図、図５は図４のヘルメット無線装置１の保管状態を側面方向から示す説明図である。ここでは、ヘルメット型無線装置１は保管装置３０に載置されて保管される。その保管装置３０は、水平の台座部３１と、台座部３１で支持され斜め上方に傾斜したヘルメット収納部３２を備え、そのヘルメット収納部３２には、ヘルメット型無線装置１のヘルメット頭部に対応した穴が形成されており、その穴にヘルメット型無線装置１のヘルメット頭部がはめ込まれて保持される。
ヘルメット型無線装置１は、保管装置３０のヘルメット収納部３２に、そのひさし１１を下側にしてはめ込まれて保持されるとともに、ヘルメット型無線装置１のヘルメット後部が、収納保持部３２の上部に設けられた充電器端子３３に密着して支持された状態で、保管装置３０に保管される。保管装置３０の台座部３１には２次電池を充電するための充電器３４が備えられており、充電器端子３３はその充電器３４につながっている。なお、充電器３４は、台座部３１またはヘルメット収納部３２とは別体になっていてもよい。
ヘルメット型無線装置１を保管装置３０から取り外すには、例えば、ヘルメット１０のひさしを図５の矢印で示す取り外し方向に引き出す、または、ヘルメット１０の頭部を図５の矢印で示す取り外し方向に押し出す、ことで行うことができる。
【００１５】
上記保管装置３０を利用することで、ヘルメット型無線装置１は、保管装置３０に保管されている間に充電されるようになっている。このためには、ヘルメット型無線装置１の充電端子１６と、保管装置３０の充電器端子３３との間の電気的接続を確実にするとともに、ヘルメット型無線装置１を使用する際に、充電端子１６と充電器端子３３との接続が容易に離脱されるようにしておくことが好ましい。
図６はそのために考え出されたヘルメット型無線装置１の２次電池電充のための、充電端子１６と充電器端子３３との接続方法を示す説明図である。ここで、充電端子１６は、充電に供する２個の電極１６１，１６２を備え、その周辺である２個の電極の間に鉄片１６３を有している。一方、充電器端子３３は、充電端子１６の電極１６１，１６２に接続される２個の電極３３１，３３２と、それら電極の間に、充電端子１６の鉄片１６３を引きつけるための磁石３３３を備えている。
上記の構成により、ヘルメット型無線装置１が備える２次電池１２１の充電時は、磁石３３３が鉄片１６３を磁力で引きつけることにより、充電端子１６と充電器端子３３との電極同士は密接して接続される。
また、ヘルメット型無線装置１の着用時には、ヘルメット１０の一部、例えばヘルメット１０の頂部を押して、あるいはヘルメット１０のひさしを持って保管装置３０からそれを引き出すことで、磁石３３３と鉄片１６３との磁力結合が外れて、ヘルメット型無線装置１が保管装置３０から取り外せる。
【００１６】
本実施形態のヘルメット型無線装置１は、無線装置本体部１２、アンテナ１３、およびスピーカ１５については、ヘルメット１０の内側の緩衝材１７をそれらの外形に合わせてくり抜き、それらをそのくり抜かれたスペースに埋め込んでいる。このため、無線装置本体部１２、アンテナ１３、スピーカ１５に加えられる衝撃が軽減でき、従って、装置１の耐久性および信頼性が向上する。また、それらの各機器の防水性、耐候性にも優れ、さらに防振構造の程度も緩和することができる。
特に、ヘルメット１０の内側にスピーカ１５が内蔵されているので、外来雑音に対して強く、指令機からの指令をより明瞭に聞き取ることが可能となる。また、外来雑音に対して強いことから、スピーカ１５の出力を小さくすることができ、従って低消費電力化も図れる。
【００１７】
本実施形態のヘルメット無線装置１にあっては、操作部１４からの設定入力により、無線装置本体部１２の動作または作用を設定可能にしている。これにより、例えば、スピーカ１５の出力音量、受信無線信号の周波数などを設定できる。
また、その操作部１４からのキーによる設定入力は、制御部１２４および音処理部１２３を介してスピーカ１５から音声出力させ、キー入力の状態を耳で確認できるようにしている。これにより、キー入力を目視確認する必要がなくなり、作業性が向上する。
【００１８】
操作部１４は、本実施形態の場合、図３に示すように、機能キー１４０、アップ（△）キー１４１、ダウン（▽）キー１４２の３個の操作キーを備えている。機能キーは、アップキー、ダウンキーの機能を指定するためのもの、ここでは、電源ＯＮ／ＯＦＦ機能、スピーカ音量調節機能、および無線周波数の選択（ＣＨ選択）機能の、３種類が指定できるように設定されている。
機能キー１４０で電源ＯＮ／ＯＦＦ機能を指定した時は、例えば、アップ（△）キー１４１を電源ＯＮに、ダウン（▽）キー１４２を電源ＯＦＦに対応させる。
また、機能キー１４０でスピーカ音量調節機能を指定した時は、例えば、アップ（△）キー１４１を１回押すたびに予め設定した音量を増加させ、ダウン（▽）キー１４２を１回押すたびに予め設定した音量を低減させる。
さらに、機能キー１４０で無線周波数の選択機能を指定した時は、例えば、アップ（△）キー１４１を１回押すたびに予め設定した周波数に順次上方移行させ、ダウン（▽）キー１４２を１回押すたびに予め設定した周波数に順次下方移行させる。
【００１９】
操作部１４への入力は、例えば次のように作用する。操作部１４のキー操作が行われると、制御部１２４が機能キー１４０、アップ（△）キー１４１、ダウン（▽）キー１４２のどれが操作されたか読み取る。そして、各キー１４０，１４１，１４２の組み合わせから判断して、「電源ＯＮ］、「電源ＯＦＦ」、「音量の段階番号（例えば、１〜１０の１０段階の音量を設定している場合に、設定された段階番号」、「周波数の種類（例えば、複数種類の受信周波数を設定している場合に、設定された特定の周波数）」を、音声処理部１２３を介してスピーカ１５から音声出力させ、ヘルメット型無線装置１の着用者にその設定情報を知らせるか、あるいはそれらのキー入力情報を知らせる。
また、制御部１２４は、操作されたキーを判別し、制御部１２４で現在設定されている状態と比較し、操作された設定入力が現在の設定と相違する場合は、新たに設定された情報に従って、電源の状態、スピーカの音量、または受信無線周波数などを設定し直す。
【００２０】
操作部１４による操作を音量の設定を例に説明すると、現在のスピーカ音量設定の状態が「５」の時、アップ（△）キーが押されると、制御部１２４が音声処理部１２３に対して、次の音量段階である「６（ロク）」の音声を送出する様に指示する。そして、音声処理部１２３は、予め登録してある「６（ロク）」の音声信号をスピーカ１５へ送出し、スピーカ１５からは設定された内容の音声が送出される。加えて、制御部１２４が音声処理部１２３に作用して、スピーカ１５の出力音量が、段階「６」に対応した音量となるように変更する。
なお、操作部１４のキーの個数は、キーがヘルメット１０に設けるられることを考慮して、必要最小限とすることが望ましい。
【００２１】
図７はヘルメット型無線装置１の使用状態を示す例示図、図８はヘルメット型無線装置１の使用者（着用者）への無線指令の伝達経路を示す例示図である。
図７に示すように、指令機５０から、無線信号（電波）による指令がヘルメット型無線装置１へ送信される。この場合、指令機５０からの送信は、複数のヘルメット型無線装置１に一括送信することも、あるいは特定のヘルメット型無線装置１だけにのみ送信することのいずれも可能とする。続いて、ヘルメット型無線装置１は、図８に示されるように、そのアンテナ１３で指令信号を受信してそれを無線装置本体部１２に送る。無線装置本体部１２はその無線信号を解析して必要な処理を施した後、その処理信号をスピーカ１５へ送ってそこで音声に変換して出力する。これにより、ヘルメット型無線装置１の着用者は、指令者からの指令を、音声にて受け取ることができる。
【００２２】
実施形態１のヘルメット型無線装置１は、それを構成する全ての部品がヘルメット１０に一体に取り付けられているため、その着用が極めて容易迅速に行える。また、全ての構成部品がヘルメット１０に一体に取り付けられているため、作業中に配線が絡まり合ったりすることもなく作業性に優れる。加えて、操作部１４からのヘルメット型無線装置１の動作または作用の設定に関して、その設定入力を音声出力させているため、操作部１４のキーを見ることなしに、ヘルメット型無線装置１の動作または作用の設定が行える。
【００２３】
実施形態２
図９は本発明の別の実施形態に係るヘルメット型無線装置２のブロック構成図、図１０は図９のヘルメット型無線装置２の主要機器（部品）の概略配置図である。
図９からわかるように、このヘルメット型無線装置２は、図３のヘルメット型無線装置１の無線装置本体部１２に、動態センサ１２６、送信部（無線送信部１２７＋送信アンテナ１２８）を加えている。
また、ヘルメット１０の少なくとも一箇所に、ここではヘルメット１０の後部に、発光体１９を設けている。
さらに、操作部１４には、緊急ボタンキー１４３を追加している。
【００２４】
動態センサ１２６は、動作の有無を検出するためのものであり、ヘルメット型無線装置２の着用者が、転倒または気を失ったりしてその動きが止まった際にそれを検知することができる。動態センサ１２６からの検知信号は制御部１２４に送られる。制御部１２４では、動態センサ１２６からの信号を解析し、予め定めた所定時間、動作の検出がない場合に、無線送信部１２７を連続または間欠的に起動し、異常状態である旨の信号を、各ヘルメット型無線装置２の識別情報とともに、送信アンテナ１２８を介して指令機側へ無線送信する。
これにより、例えば消防活動中に有毒ガスを吸引し倒れた場合などには、自動的に異常状態の信号が指令機側に送信されるため、不測の事態に対しても早急な対応が可能となる。
【００２５】
また、操作部１４に追加された緊急ボタン１４３を押すことでによって、緊急事態発生などの信号を、無線送信部１２７および送信アンテナ１２８を介して指令機側へ送るようにしている。緊急ボタン１４３は、それが押された場合にのみ作用し、緊急ボタン１４３が押された場合には、緊急事態に関する信号が制御部１２４に送られる。すると、制御部１２４は無線送信部１２７を連続または間欠的に起動し、緊急事態に関する信号を送信アンテナ１２８を介して指令機側へ無線送信する。
緊急ボタン１４３の装備により、必要なときは直ちに緊急信号が無線送信でき、緊急事態発生の通知、応援依頼などの通報を迅速に行うことができる。
【００２６】
さらに、ヘルメット１０に設けた発光体１９により、暗い中での作業であっても、装置着用者の位置を検出し易くしている。発光体１９には、発光ダイオード（ＬＥＤ）、レーザーダイオードなどを用いることができ、発光は点滅または常時発光とすることができる。ヘルメット型無線装置２が発光体１９を具備することで、暗い中でも作業者の位置が視認し易くなる。なお、発光体１９の発光を異常事態および緊急事態に関するの送信に連動させて、発光体１９を発光、点滅などさせることで、ヘルメット型無線装置２の着用者の発見が容易となる。
【００２７】
異常事態および緊急事態に関するヘルメット型無線装置２から指令機側への送信は、無線電波を使用して連続または間欠的に行うようにするのがよい。その場合、指令機側に指向性の持った受信機を備え、その電波の到来方向および強さを検知することにより、それらの信号の発信者の発見が容易となる。特に、電波は金属以外の物質を透過する性質があるので、探索効率が非常によい。
【００２８】
なお、ヘルメット型無線装置２が、動態センサ１２６、緊急ボタン１４３、発光体１９の全て同時に備えることは必ずしも必須でないが、それらの有用性を考慮すれば、それらはできるだけ備えるようにするのがよい。
【００２９】
実施形態２のヘルメット型無線装置２は、ヘルメット型無線装置１の効果に加えて、異常事態や緊急事態に対して迅速に対応できるという効果を奏する。
【００３０】
上記実施形態１および２のヘルメット型無線装置１，２において、その操作部１４を利用して予め定めた動作または作用を設定できることは既に説明した。それに加えて、ヘルメット型無線装置１，２の動作あるいは作用の設定を、ヘルメット型無線装置１，２の保管時に一括して行えるようにすると便利である。以下では、そのような設定方法を可能にする例を説明する。
図１１は本発明の実施形態に係る保管装置を利用したヘルメット型無線装置用の動作設定の説明図である。この保管装置４０は、図４及び図５に示した保管装置３０に、さらに設定用送信機３５を追加したものである。設定用送信機３５は、台座部３１またはヘルメット収納部３２などと一体に設けてもよく、またそれらとは別体に備えてもよい。
【００３１】
設定用送信機３５は、例えば、消防活動、救急活動などの緊急出動時に利用することができる。緊急出動要請があった際には、まず、設定用送信機３５に、ヘルメット型無線装置１または２のスピーカ１５の音量設定、無線周波数の選択（ＣＨ選択）などの情報が入力される。この入力は、他の装置から設定用送信機３５に送信入力されることも、また、設定用送信機３５に直接入力することもできる。設定用送信機３５は、そこに入力された設定情報を、保管装置４０に保管されているヘルメット型無線装置１または２に対して無線送信する。そして、その設定情報を受信した各ヘルメット型無線装置１または２は、それぞれ指定された設定を行う。
この保管装置４０を用いた方法によれば、音声ボリューム（音量）設定、無線周波数の選択（ＣＨ選択）などの設定を無線で一括して行うことができるので、消防活動、救急活動など一刻を争う緊急出動作業の時間をより短縮することができる。
【００３２】
上記実施形態１および２では、無線装置本体部１２を減るヘルメット１０の内部に組み込んだ例を説明したが、本発明の着用無線装置は、ヘルメット１０の内部にはスピーカ１５のみを配し、無線装置本体部１２などの他の要素または機器はヘルメット１０の外側、例えばヘルメット１０の側面に取り付けるようにしてもよい。
さらに、ヘルメット１０の内部にはスピーカ１５のみを配し、無線装置本体部１２などの他の要素を付属部品として一体構成し、スピーカ１５にケーブルなどでつないだその付属部品を、衣類のポケットに収納したり腰ベルトに取り付けて用いるようにしてもよい。
【００３３】
本実施形態のヘルメット型無線装置１または２は、消防隊員、救急隊員、警察官、工事または建築現場などの作業員、オートバイ運転者等が装着して、それらの人々へ指令を発する指令機に対する受令機として使用するのに適している。
また、本実施形態のヘルメット型無線装置１または２に、マイク、マイクからの信号を処理して送信信号とする信号処理部、および信号処理部で生成された送信信号を無線送信する信号送信部を加えて、送受信機として活用することも可能である。
【００３４】
【発明の効果】
本発明の着用無線装置によれば、指令機から送られてくる指令を音声にて明瞭に聞き取れるようになり、加えて、装置の操作性や着用者の安全性が向上する。さらに、本発明の着用無線装置用保管装置を用いることで、着用無線装置の充電や動作設定を、その保管時に一括して行うことが可能となる。
【図面の簡単な説明】
【図１】本発明の実施形態に係るヘルメット型無線装置を構成する主要機器（部品）の概略配置図である。
【図２】図１の装置の中央部断面図である。
【図３】本発明の実施形態に係るヘルメット型無線装置のブロック構成図である。
【図４】本発明の実施形態に係るヘルメット型無線装置の保管状態説明図である。
【図５】本発明の実施形態に係るヘルメット型無線装置の側面方向から見た保管状態説明図である。
【図６】本発明の実施形態に係るヘルメット型無線装置の２次電池電充のための、充電端子と充電器端子との接続方法を示す説明図である。
【図７】本発明の実施形態に係るヘルメット型無線装置の使用状態を示す例示図である。
【図８】本発明の実施形態に係るヘルメット型無線装置の使用者への無線指令の伝達経路を示す例示図である。
【図９】本発明の別の実施形態に係るヘルメット型無線装置のブロック構成図である。
【図１０】図９のヘルメット型無線装置を構成する主要機器（部品）の概略配置図である。
【図１１】本発明の実施形態に係る保管装置を利用したヘルメット型無線装置用の動作設定の説明図である。
【符号の説明】
１，２　ヘルメット型無線装置、１０　ヘルメット、１２　無線装置本体部、
１３　アンテナ、１４　操作部、１５　スピーカ、１６　充電端子、１７　緩衝材、１９　発光体、３０　保管装置、３３　充電器端子、３５　設定用送信機、４０　保管装置。
【図１】
2004048355.tif 000003
【図２】
2004048355.tif 000004
【図３】
2004048355.tif 000005
【図４】
2004048355.tif 000006
【図５】
2004048355.tif 000007
【図６】
2004048355.tif 000008
【図７】
2004048355.tif 000009
【図８】
2004048355.tif 000010
【図９】
2004048355.tif 000011
【図１０】
2004048355.tif 000012
【図１１】
2004048355.tif 000013